(57)【要約】【課題】筐体の側板に開けた孔から電源装置に対して行われる不正行為を効果的に抑制可能な遊技機を提供する。【解決手段】遊技機の一例であるスロットマシンは、前側に開口部６０ｄを有する筐体６０と、この開口部６０ｄを覆う閉止位置から開閉自在に取り付けられたフロントドアと、筐体６０の左側の側板６０ｂの内面に接して設けられて電力を供給する主電源装置４０とを備え、フロントドアが開口部６０ｄを覆った状態で主電源装置４０から供給される電力により作動する。主電源装置４０が接する筐体６０の左側の側板６０ｂと主電源装置４０との間に板金製の電源装置防護板５１を挟装する。電源装置防護板５１は、筐体６０の底板６０ａの上面に取り付けられた板金製のアース板５０と一体的に成形される。【選択図】図３
2008245759.tif 000002
【特許請求の範囲】
【請求項１】
前側に開口部を有する筐体と、前記筐体の前記開口部を覆う閉止位置から開閉自在に取り付けられたフロントドアと、前記筐体の側板の内面に接して設けられて電力を供給する電源装置とを備え、前記フロントドアが前記開口部を覆った状態で前記電源装置から供給される電力により作動する遊技機であって、
前記電源装置が接する前記筐体の前記側板と該電源装置との間に金属材料製の電源装置防護板を挟装し、
前記電源装置防護板は、前記筐体の底板の上面に取り付けられた板金製のアース板と一体的に形成されたものであることを特徴とする遊技機。
【発明の詳細な説明】
【技術分野】
【０００１】
本発明は、筐体の前側開口部を覆うフロントドアを筐体の前側に開閉自在に設け、筐体内に電源装置を設けた遊技機に関し、特に電源装置に対して行われる不正行為を防止する対策を施した遊技機に関する。
【背景技術】
【０００２】
筐体の前側にフロントドアを開閉自在に備えた遊技機の代表例として、スロットマシンがある。このスロットマシンは、例えば、特許文献１に記載されており、筐体の内部に遊技装置を配設して、フロントドアが筐体の前側開口部を覆った状態で遊技が可能に構成されている。
【０００３】
このようなスロットマシンには、筐体の内部にスロットマシンの各部に電力を供給するための電源装置が設けられており、この電源装置からの電力供給によりスロットマシンが作動するようになっている。電源装置７０は、図７（ａ）（分解斜視図）及び図７（ｂ）（背面図）に示すように、その前面側に、スロットマシンを作動させるための電源スイッチ７２や、遊技メダルの回収を行うためのメダル回収スイッチ７３や、スロットマシンの出玉率を設定するための設定スイッチ７４等の各操作スイッチを有した操作板７１を設けており、フロントドアを開けた状態で各操作スイッチの操作ができるようになっている。
【０００４】
フロントドアはこれに設けられた鍵穴に正規の鍵を挿入しなければ開くことができないので、フロントドアが閉じられた状態では、遊技者は電源装置７０の各操作スイッチを操作することができない。
【０００５】
【特許文献１】特開２００４−２９０２５６号公報
【発明の開示】
【発明が解決しようとする課題】
【０００６】
しかしながら、フロントドアが閉じられた状態で、ドリル等を用いて電源装置７０に隣接する筐体７６の側板７７に孔を開け、この孔から針金等の異物を挿入して電源装置７０の各操作スイッチを操作する不正行為が問題となっている。
【０００７】
本発明は、このような問題に鑑みてなされたものであり、筐体の側板に開けた孔から電源装置に対して行われる不正行為を効果的に抑制可能な遊技機を提供することを目的とする。
【課題を解決するための手段】
【０００８】
このような課題を解決するため、本発明は、以下の特徴を有する。特徴の一つは、前側に開口部を有する筐体と、筐体の開口部を覆う閉止位置から開閉自在に取り付けられたフロントドアと、筐体の側板の内面に接して設けられて電力を供給する電源装置（例えば、実施形態における主電源装置４０）とを備え、フロントドアが開口部を覆った状態で電源装置から供給される電力により作動する遊技機（例えば、実施形態におけるスロットマシン１）であって、電源装置が接する筐体の側板と該電源装置との間に金属材料製の電源装置防護板を挟装し、電源装置防護板は、筐体の底板の上面に取り付けられた板金製のアース板と一体的に形成されたものであることを特徴とする。
【０００９】
この特徴によれば、電源装置が接する筐体の側板と該電源装置との間に金属材料製の電源装置防護板を挟装することにより、ドリル等によって電源装置に隣接する筐体の側板に孔を開けたとしても、電源装置防護板は金属材料製であるので固く、ドリル等によって電源装置防護板に孔を開けるのは容易ではない。このため、電源装置に対する不正行為を効果的に抑制することができる。また、電源装置防護板が筐体の底板の上面に取り付けられた板金製のアース板と一体的に成形されたものであることで、電源装置防護部材はアース板と繋がっている。このため、ドリル等によって電源装置に隣接する筐体の側板に孔を開け、この孔から電源装置防護板を側板に沿って移動させようとしても、電源装置防護板は動かない。このため、電源装置防護板は固く且つ筐体に対して不動であるので、電源装置に対する不正行為をより効果的に抑制することができる。また、電源装置防護板はアース板と接続されているので、電源装置防護板はアース板と電気的にも接続されている。このため、電源装置のアースを取るための配線の自由度を増すことができる。
【発明の効果】
【００１０】
本発明に係わる遊技機によれば、上記特徴を有することによって、電源装置に対する不正行為を効果的に抑制することができる遊技機を提供することができる。
【発明を実施するための最良の形態】
【００１１】
以下、本発明に係わる遊技機の好ましい実施の形態を図１から図６に基づいて説明する。尚、本実施の形態は、遊技機の一例であるスロットマシンについて説明する。
【００１２】
スロットマシン１は、図１（斜視図）及び図２（内部構造図）に示すように、遊技者に面するフロントドア１０と、前側に設けられた開口部６０ｄを覆う閉止位置から開閉自在なフロントドア１０を取り付けた筐体６０とを有して構成される。フロントドア１０は、機械的に強固な硬質プラスチック製のパネル部１１に矩形状の枠組み１３を取り付けて構成されている。
【００１３】
枠組み１３は、パネル部１１内の左右両側の側壁１１ａ，１１ｂに沿って取り付けられた一対の縦フレーム１４，１５と、パネル部１１の上壁１１ｃの内側に沿ってパネル部幅方向に延びる横フレーム１６とを有してなる。右側の側壁１１ｂに沿って取り付けられた縦フレーム１５に施錠装置ユニット１８が取り付けられている。
【００１４】
パネル部１１の上部には、演出用の上部ランプ１１ｄ、スピーカを備えた放音部１１ｅ，１１ｆ、液晶ディスプレイ等を有した演出表示装置１１ｇが配設されている。そして、パネル部１１の中間部には、透明な硬質プラスチック板で形成された略長方形状の透過窓ＷＤと演出用ランプ１１ｈ，１１ｉが設けられ、筐体６０内に設けられたリール装置６１のリールＲ１、Ｒ２、Ｒ３を、遊技者が透過窓ＷＤを介して見ることが可能となっている。
【００１５】
パネル部１１の中間部の下側には、遊技者が操作するための操作パネル部２０が設けられ、この操作パネル部２０には各種のボタン等（メダル投入部ＭＤ、ベットボタンＢ、スタートレバーＳＴ、ストップボタンＳＰ１，ＳＰ２，ＳＰ３）が設けられている。
【００１６】
操作パネル部２０の右端には、フロントドア１０を開錠するための施錠装置ユニット１８の鍵穴ＫＹが設けられ、鍵穴ＫＹに正規の鍵を挿入して開錠操作すると、フロントドア１０を筐体６０から開くことが可能となっている。また、操作パネル部２０の左端には、精算ボタンＭＲが設けられ、ゲームに賭けたメダルの払い出しを指示すると共に、メダルクレジット手段（図示せず）が内部保留したメダルの払い出しの指示が可能になっている。
【００１７】
パネル部１１の下部には、本スロットマシン１のゲーム内容を紹介等するための絵（図示せず）が描かれた下パネル３０が設けられ、下パネル３０の左右方向両外側のパネル部１１には演出用ランプ２２，２２が設けられている。下パネル３０の下方には、遊技メダルを払い出すためのメダル払出口１１ｊ、メダル受皿１１ｋ、放音部１１ｍが設けられている。
【００１８】
フロントドア１０の裏面側の上部には、前述した放音部１１ｅ，１１ｆのスピーカＳＬ，ＳＲが設けられ、スピーカＳＬ，ＳＲの間には前述した演出表示装置１１ｇが設けられている。演出表示装置１１ｇの下方には、透過窓ＷＤを形成する略長方形状の枠体１９が取り付けられており、この枠体１９の下方には、メダル投入部ＭＤより投入された投入物が正規の遊技メダルか否かを判別して振り分けるメダル選別装置Ｇ０と、メダル選別装置Ｇ０で振り分けられた遊技メダルを筐体６０側に設けられたホッパ装置ＨＰへ案内するガイド部材Ｇ１と、メダル選別装置Ｇ０で振り分けられたメダルをメダル払出口１１ｊへ案内するガイド部材Ｇ２と、ホッパ装置ＨＰから出力される払い出し用のメダルをメダル払出口１１ｊへ案内するガイド部材Ｇ３とが設けられている。メダル払出口１１ｊの近傍には、前述した放音部１１ｍを構成するスピーカＳＷが取り付けられている。
【００１９】
枠体１９とメダル選別装置Ｇ０との間には、長尺状の電気回路基板で形成された中央表示基板２１が取り付けられ、この中央表示基板２１には、前述した操作パネル部２０に設けられているベットボタンＢと、スタートレバーＳＴと、ストップボタンＳＰ１，ＳＰ２，ＳＰ３等が電気的に配線接続されている。これらＢ，ＳＴ，ＳＰ１，ＳＰ２，ＳＰ３の出力信号はハーネスを介して筐体６０に設けられたメイン制御基板２４に転送される。
【００２０】
筐体６０内には、主電源装置４０と、ホッパ装置ＨＰから溢れた遊技メダルを収容する補助貯留部ＳＨＰが設けられる他、前述したリール装置６１が設けられている。主電源装置４０内には電源装置基板（図示せず）が設けられている。主電源装置４０及びこの取り付け方法については後述する。リール装置６１の上端には回胴装置基板２６が取り付けられ、リール装置６１の上方には前述したメイン制御基板２４が取り付けられている。メイン制御基板２４は、半導体メモリ（ＲＯＭ）とマイクロプロセッサ（ＭＰＵ）等が搭載されており、このマイクロプロセッサ（ＭＰＵ）が、半導体メモリ（ＲＯＭ）に予め記憶されているシステムプログラムとスロットマシンゲーム用のプログラムを実行し、電源装置基板、回胴装置基板２６及び後述するサブ制御基板１７に所定の指令を行って夫々に分散制御を行わせることにより、本スロットマシン１全体を集中制御する。
【００２１】
演出表示装置１１ｇの裏面側には、電気回路基板で形成されたサブ制御基板１７が設けられている。このサブ制御基板１７は、演出表示装置１１ｇによって表示される演出画像の制御を行うマイクロプロセッサと、このマイクロプロセッサが実行するコンピュータプログラム及び演出用データを記憶した読み出し専用メモリ（ＲＯＭ）と、演出処理の実行中に生じる各種データを一時的に記憶するランダムアクセスメモリ（ＲＡＭ）等を備えた電気回路が搭載されている。そして、このサブ制御基板１７は、メイン制御基板２４からの制御信号に従って、上部ランプ１１ｄ，演出用ランプ１１ｈ，１１ｉ，２２とスピーカＳＲ，ＳＬ，ＳＷを駆動して遊技者の視覚及び聴覚に訴える演出を行うと共に、演出表示装置１１ｇを制御して遊技内容に応じた演出表示を行わせる。
【００２２】
このサブ制御基板１７は、不正行為を防止するための基板ケース２７内に収容されており、この基板ケース２７ごと一体として演出表示装置１１ｇの裏面側に着脱可能に取り付けられている。
【００２３】
主電源装置４０は、図３（斜視図）に示すように、カバー体４１とカバー体４１内に設けられた電源装置基板とを有して構成されている。カバー体４１は板金製であり前後に開口部を有した方形箱状に形成され、カバー体４１の前部には操作板４２が開閉可能に取り付けられている。操作板４２には、電源スイッチ、メダル回収スイッチ、設定スイッチ等の各操作スイッチが配設され、操作板４２の前面側には、これらの操作スイッチを覆った位置から揺動開閉自在に取り付けられたカバーパネル４３が設けられている。
【００２４】
このように構成された主電源装置４０は、アース板５０とこれに繋がる電源装置防護板５１を介して筐体６０内に取り付けられる。アース板５０は、図３（斜視図）及び図４（分解斜視図）に示すように、筐体６０の底板６０ａの上面前部にねじ等を介して取り付けられ、電源装置防護板５１は筐体左側の側板６０ｂの内面と主電源装置４０の側板との間に挟装される。なお、電源装置防護板５１は側板６０ｂにねじ等を介して取り付けてもよい。アース板５０及び電源装置防護板５１は板金（例えば、ステンレス鋼の板金）製であって折り曲げ加工等によって一体に成形される。そして、アース板５０と電源装置防護板５１とを繋ぐ接続部分には、リブ加工によって内側へ突出するリブ部５２が形成されており、このリブ部５２によって接続部分の剛性を強化している。電源装置防護板５１は、主電源装置４０の左側面全体を覆うことが可能な大きさを有して側面視において略矩形状である。
【００２５】
主電源装置４０は、その底面が筐体６０内に取り付けられたアース板５０及び底板６０ａ上に載置され、左側面が電源装置防護板５１に接し、背面が筐体６０の裏板６０ｃの内面に接した状態で筐体６０内に設置されて、カバー体４１に設けられた取付部４１ｂを介してねじ等によって筐体６０に固定される。
つまり、図５（正面図）に示すように、主電源装置４０のカバー体４１の左側板４１ａは、電源装置防護板５１を介して筐体６０の側板６０ｂに接した状態で筐体６０に固定される。
【００２６】
このため、ドリル等によって主電源装置４０の左側の筐体６０の側板６０ｂに孔を開けても、電源装置防護板５１は固い板金製であるので、ドリル等によって電源装置防護板５１に孔を開けるのは容易ではない。また、電源装置防護板５１はアース板５０と一体的に成形されたものであり、電源装置防護板５１はアース板５０と繋がって筐体６０に固定されている。このため、ドリル等によって筐体６０の側板６０ｂに孔を開け、この孔から電源装置防護板５１を側板６０ｂに沿って移動させようとしても電源装置防護板５１は動かない。従って、孔から主電源装置４０が露出することはなく、筐体６０に設けた孔から異物を差し込んでもこれが主電源装置４０に到達することはなく、主電源装置４０の前部に設けられた操作スイッチに対する不正行為を確実に防止することができる。
【００２７】
また、電源装置防護板５１はアース板５０と繋がっているので、電源装置防護板５１はアース板５０と電気的にも接続されている。このため、主電源装置４０のアースを電源装置防護板５１から取ることが可能となり、主電源装置４０のアースを取るための配線の自由度を増すことができる。
【００２８】
なお、前述した実施の形態では、電源装置防護板５１と主電源装置４０の左側板４１ａとが接した状態で筐体６０の側板６０ｂに設けられた場合を示したが、図６（拡大図）に示すように、電源装置防護板５１と左側板４１ａとの間に隙間７８を設けて主電源装置４０を筐体６０内に設置してもよい。この場合、電源装置防護板５１を電気的に浮いた状態にし、左側板４１ａをアースに落としておくと共に、左側板４１ａの電位を定期的に検出可能に構成しておくと、ドリル等によって電源装置防護板５１に孔が開けられて主電源装置４０の左側板４１ａにドリルが当たると、左側板４１ａの電位が変化し、この変化を検出することで主電源装置４０に対して不正行為が行われていることを判断することができる。また電源装置防護板５１をアースに落としておいて、電源装置防護板５１の電位変化を観察するようにしてもよい。このように構成することで、主電源装置４０の前部に設けられた操作スイッチに対する不正行為を防止することができる。
また、前述した実施例では、スロットマシン１を例にしたが、パチンコやゲームセンタで用いられているゲーム機などを対象にしてもよい。
【図面の簡単な説明】
【００２９】
【図１】本発明の一実施の形態に係わるスロットマシンの斜視図を示す。
【図２】このスロットマシンのフロントドアを開けた状態におけるフロントドア及び筐体の内部構造図を示す。
【図３】本発明の一実施の形態に係わるスロットマシンに設置される主電源装置の取付構造の分解斜視図を示す。
【図４】主電源装置を取り付ける筐体の斜視図を示す。
【図５】筐体内に取り付けた主電源装置の正面図及び主電源装置の左側板に接する部分の断面拡大図を示す。
【図６】筐体内に設置される主電源装置の左側板と電源装置防護板との位置関係を説明するための部分断面拡大図を示す。
【図７】従来のスロットマシンに設けられた電源装置を示し、同図（ａ）は電源装置の分解斜視図であり、同図（ｂ）は筐体内に設けられた電源装置の背面図である。
【符号の説明】
【００３０】
１  スロットマシン（遊技機）
１０  フロントドア
４０  主電源装置（電源装置）
５０  アース板
５１  電源装置防護板
６０  筐体
６０ａ  底板
６０ｂ  側板
６０ｄ  開口部
【図１】
2008245759.tif 000003
【図２】
2008245759.tif 000004
【図３】
2008245759.tif 000005
【図４】
2008245759.tif 000006
【図５】
2008245759.tif 000007
【図６】
2008245759.tif 000008
【図７】
2008245759.tif 000009